(57)【特許請求の範囲】
【請求項１】
直交周波数分割多重方式（ＯＦＤＭ）により伝送されているデジタル信号を受信するＯＦＤＭ受信装置であって、
前記デジタル信号を復調する復調手段と、
前記復調手段から出力される復調データのデマッピングを行うデマッピング手段と、
前記デマッピング手段から出力されるデータに対して、前記デジタル信号と重畳されている制御情報に基づいた周波数デインタリーブを施す周波数デインタリーブ手段と、
前記周波数デインタリーブ手段が前記周波数デインタリーブに用いた前記制御情報を所定時間遅延させる遅延手段と、
前記周波数デインタリーブが施されたデータに対し、前記遅延手段によって遅延させた前記制御情報に示されているインタリーブ長に基づいた時間デインタリーブを施す時間デインタリーブ手段と、
を有することを特徴とするＯＦＤＭ受信装置。
【請求項２】
前記デマッピングでは、前記制御情報に基づいて決定されるビット数での軟判定が行われることを特徴とする請求項１に記載のＯＦＤＭ受信装置。
【請求項３】
前記ビット数は、前記インタリーブ長に基づいて決定されることを特徴とする請求項２に記載のＯＦＤＭ受信装置。
【請求項４】
前記ビット数は、前記制御情報によって示されている、サブキャリアの変調方式に基づいて決定されることを特徴とする請求項２に記載のＯＦＤＭ受信装置。
【請求項５】
前記ビット数は、前記時間デインタリーブ手段に予め備えられるメモリ容量のうち前記時間デインタリーブのために使用される量を除いた残りの余裕量に応じて決定されることを特徴とする請求項２に記載のＯＦＤＭ受信装置。
【請求項６】
直交周波数分割多重方式（ＯＦＤＭ）により伝送されているデジタル信号を受信する方法であって、
前記デジタル信号を復調し、
前記復調によって得られた復調データのデマッピングを行い、
前記デマッピングがされたデータに対して、前記デジタル信号と重畳されている制御情報に基づいた周波数デインタリーブを施し、
前記周波数デインタリーブに用いた前記制御情報を所定時間遅延させ、
前記周波数デインタリーブが施されたデータに対し、遅延させた前記制御情報に示されているインタリーブ長に基づいた時間デインタリーブを施す、
ことを特徴とするＯＦＤＭ受信方法。
【請求項７】
前記デマッピングでは、前記制御情報に基づいて決定されるビット数での軟判定が行われることを特徴とする請求項６に記載のＯＦＤＭ受信方法。
【請求項８】
前記ビット数は、前記インタリーブ長に基づいて決定されることを特徴とする請求項７に記載のＯＦＤＭ受信方法。
【請求項９】
前記ビット数は、前記制御情報によって示されている、サブキャリアの変調方式に基づいて決定されることを特徴とする請求項７に記載のＯＦＤＭ受信方法。
【請求項１０】
前記ビット数は、前記時間デインタリーブのために予め用意されるメモリ容量のうち当該時間デインタリーブのために使用される量を除いた残りの余裕量に応じて決定されることを特徴とする請求項７に記載のＯＦＤＭ受信方法。
【発明の詳細な説明】
【技術分野】
【０００１】
本発明は、デジタル信号の受信技術に関し、特に、直交周波数分割多重方式（ＯＦＤＭ：Orthogonal Frequency Division Multiplexing）を信号伝送方式として採用しているデジタル信号を復調する復調装置の技術に関する。
【背景技術】
【０００２】
デジタル信号を伝送する方式として、直交周波数分割多重方式（ＯＦＤＭ：Orthogonal Frequency Division Multiplexing）と呼ばれる伝送方式が提案されている。ＯＦＤＭ方式は、周波数軸上で直交している複数のキャリアにデータを割り当てて伝送する方式であり、ＩＦＦＴ（逆ＦＦＴ）により変調が行われ、ＦＦＴにより復調が行われる。
【０００３】
ＯＦＤＭ方式は、周波数利用効率が高いことから、地上波デジタル放送への適用が広く検討されており、日本の地上波デジタル放送の規格であるＩＳＤＢ−Ｔ（Integrated Services Digital Broadcasting-Terrestrial）で採用されている。
【０００４】
日本における地上波デジタル放送（ＩＳＤＢ−Ｔ）では、ＵＨＦ帯（１３ｃｈ〜６２ｃｈ）を用いたデジタルテレビ放送と、ＶＨＦ帯（７ｃｈ、８ｃｈ）を用いたデジタルラジオ放送とが行われている。
【０００５】
このデジタルテレビ放送では、図５Ａに示すように、１チャネル６ＭＨｚの伝送帯域が１３セグメントに分割されている。このうちの１２セグメントは、固定受信を目的とした室内テレビ受像機が主なターゲットであるハイビジョン放送のために用いられており、また、残りの１セグメントは、携帯端末等の移動体が主なターゲットである放送（いわゆる「ワンセグ放送」）のために用いられている。なお、チャネルによっては、固定端末向けのみに１３セグメント全てを用いた放送も行われている。
【０００６】
一方、デジタルラジオ放送では、図５Ｂに示すように、１チャネル６ＭＨｚの帯域が８セグメントに分割されており、そのうちの１セグメント又は３セグメントを使用して放送が行われる。
【０００７】
このような状況に応じ、移動受信を目的とした地上波デジタル放送用受信端末として、１セグメント受信のみ可能な１セグメント受信機と、１セグメント受信に加えて３セグメント受信も可能な１セグメント／３セグメント両対応受信機（以下、「１／３セグメント受信機」と称することとする）の２種類が考えられている。
【０００８】
ここで図６について説明する。同図は、ＩＳＤＢ−Ｔに則ったデジタル放送の受信機の標準的な構成を示している。
図６において、ＯＦＤＭ方式のデジタル信号で変調されている高周波信号がアンテナ１０１で受信される。受信された高周波信号はチューナ１０２に入力される。チューナ１０２は受信するチャネルを選択し、選択されたチャネルの高周波信号を中間周波数（ＩＦ：Intermediate Frequency）へと変換し、Ａ／Ｄ（アナログ／デジタル）変換器１０３へ出力する。Ａ／Ｄ変換器１０３は、アナログ信号である中間周波信号をデジタル信号へと変換する。
【０００９】
Ａ／Ｄ変換器１０３の出力は直交復調器１０４へ入力されて複素ベースバンド信号へと変換される。複素ベースバンド信号は、ＦＦＴ回路１０５による高速フーリエ変換（ＦＦＴ：Fast Fourier Transform）により、時間領域信号から周波数領域の信号へと変換され、各キャリアデータが得られる。
【００１０】
その後、データキャリアは等化処理部１０６に入力され、パイロット信号の補間処理とそれを用いてのデータキャリアの等化処理が行われ、復調データとして出力される。等化処理部１０６から出力された復調データは誤り訂正部１０７に入力されて誤り訂正処理が行われた後に、ＴＳ（Transport Stream）という形式で出力される。
【００１１】
なお、ＦＦＴ回路１０５から出力されたデータキャリアの一部はＴＭＣＣ（伝送多重制御信号：Transmission and Multiplexing Configuration Control）誤り訂正部１０８に入力されてＴＭＣＣ情報に対する誤り訂正が行われる。ＯＦＤＭ方式のデジタル信号に長じ要されているＴＭＣＣ情報は、各キャリアで使用されている変調方式や時間インタリーブにおけるインタリーブ長などといった伝送パラメータが示されている制御情報である。誤り訂正が施されたＴＭＣＣ情報は、誤り訂正部１０７等、図６の受信機の各部で利用される。
【００１２】
次に図７について説明する。同図は、図６における誤り訂正部１０７で行われる誤り訂正処理の処理内容の詳細を示している。
図７に示すように、誤り訂正部１０７では、デマッピング処理１１３、ビタビ（Viterbi）復号処理１１５、及びリードソロモン（Reed Solomon）復号処理１１７に加え、各種のデインタリーブ処理が行われる。具体的には、等化処理部１０６から出力された復調データに対し、まず、周波数軸方向のデインタリーブである周波数デインタリーブ処理１１１と時間軸方向のデインタリーブである時間デインタリーブ処理１１２とが施され、その後にデマッピング処理１１３が行われる。そして、デマッピング処理１１３が施されたデータに対し、ビット単位のデインタリーブであるビットデインタリーブ処理１１４が施され、その後にビタビ復号処理１１５が行われる。更に、ビタビ復号処理１１５が施されたデータは、バイト単位にシリアル−パラレル変換された後に、バイト単位のデインタリーブであるバイトデインタリーブ処理１１６が施され、その後にリードソロモン復号処理１１５が行われる。
【００１３】
この他、本発明に関し、例えば特許文献１には、ＯＦＤＭ受信装置において、生成したデマッピングデータをビット圧縮して生成した圧縮データに対して時間デインタリーブを施し、その後に時間デインタリーブされた圧縮データをビット伸長するようにして、メモリの記憶容量を削減する技術が開示されている。
【００１４】
また、例えば特許文献２には、ＯＦＤＭ方式で変調された信号を受信するデジタル放送受信装置において、音声放送信号の受信時に、まず、周波数変換部の出力信号の帯域を映像放送受信用のＩＦフィルタの通過帯域の境界周波数としてＴＭＣＣ情報の取得を行い、取得されたＴＭＣＣ情報で示されている放送方式に応じた１セグメント分または３セグメント分の帯域幅についてのフーリエ変換が行われるように、周波数変換部及び音声用フィルタを制御することで、テレビ放送と音声放送の双方の受信を可能とする技術が開示されている。
【００１５】
また、例えば特許文献３には、ＯＦＤＭ復調装置において、まず、受信信号を直交復調した結果として得られたＩ，Ｑデータを格納手段に格納しておくようにし、当該格納手段から所定のデータを読み出してＦＦＴ回路に供給する一方で、当該格納手段から所定のデータを読み出して同期復調回路に供給するようにして、ＦＦＴ回路の入力バッファと同期復調回路の遅延部とを統合する技術が開示されている。
【００１６】
また、例えば特許文献４には、ＯＦＤＭ方式で変調された信号を受信するデジタル放送受信装置において、ＦＦＴ部の出力に基づいて、信号の変調方式に応じたコンスタレーション上の基準点と当該基準点からのずれの量との関係を示すプレデマッピングデータを、ＦＦＴ部の出力に基づいて生成し、当該ずれの量を受信信号の信頼性の情報に基づいて補正したプレデマッピングデータに対して時間デインタリーブを施すようにすることで、時間デインタリーブの処理に必要なメモリ容量を削減する技術が開示されている。
【００１７】
また、例えば特許文献５には、ＯＦＤＭ受信装置において、周波数デインタリーブを行う前にデマッピングとビット圧縮とを行うことにより、周波数デインタリーブに必要なメモリ容量を減らす技術が開示されている。
【特許文献１】特開２００３−１８８８４８号公報
【特許文献２】特開２００３−７８８３９号公報
【特許文献３】特開２００２−７７０９５号公報
【特許文献４】特開２００３−１０１５０５号公報
【特許文献５】特開２００４−２８２６２５号公報
【発明の開示】
【発明が解決しようとする課題】
【００１８】
前述したように、ＩＳＤＢ−Ｔの受信機における誤り訂正部１０７では、各種のデインタリーブ処理が行われる。図７にもメモリ１１１ａ、１１２ａ、１１４ａ、及び１１６ａと示したように、一般に、デインタリーブ処理では、データを一時的に保存するための記憶領域が必要である。従って、ＩＳＤＢ−Ｔの受信機の構成全体においてデインタリーブ処理のために用意するメモリの占める割合はかなり大きなものとなっている。
【００１９】
また、１／３セグメント受信機では、デインタリーブ処理のためのメモリは、１セグメント受信機の３倍の容量が必要である。つまり、１／３セグメント受信機では、一部で行われる３セグメント放送の受信に対応するために、大容量のメモリを備えなければならないのが現状である。
【００２０】
本発明は上述した問題に鑑みてなされたものであり、その解決しようとする課題は、ＯＦＤＭ受信装置において、復調データのデインタリーブ処理のために必要となるメモリの容量を削減することである。
【課題を解決するための手段】
【００２１】
本発明の態様のひとつであるＯＦＤＭ受信装置は、直交周波数分割多重方式（ＯＦＤＭ）により伝送されているデジタル信号を受信するＯＦＤＭ受信装置であって、当該デジタル信号を復調する復調手段と、当該復調手段から出力される復調データのデマッピングを行うデマッピング手段と、当該デマッピング手段から出力されるデータに対して、当該デジタル信号と重畳されている制御情報に基づいた周波数デインタリーブを施す周波数デインタリーブ手段と、当該周波数デインタリーブ手段が当該周波数デインタリーブに用いた前記制御情報を所定時間遅延させる遅延手段と、当該周波数デインタリーブが施されたデータに対し、当該遅延手段によって遅延させた当該制御情報に示されているインタリーブ長に基づいた時間デインタリーブを施す時間デインタリーブ手段と、を有することを特徴とするものであり、この特徴によって前述した課題を解決する。
【００２２】
この構成のように、デマッピング手段を各種のデインタリーブ処理の前段に配置したことにより、デマッピング手段の後段で行われるデインタリーブ処理で必要となるメモリの容量を削減することができる。しかも、遅延手段を設けたことにより、デマッピング手段の後段に周波数デインタリーブ手段を配置したことによって生じるデータ遅延の影響が回避される。
【００２３】
なお、上述した本発明に係るＯＦＤＭ受信装置において、当該デマッピングでは、当該制御情報に基づいて決定されるビット数での軟判定が行われるように構成してもよい。
この構成によれば、軟判定のビット数が制御情報に応じて切り替えることができるので、デインタリーブ処理のために必要となるメモリの容量を少なくすることができる。
【００２４】
なお、このとき、当該ビット数は、当該インタリーブ長に基づいて決定されるように構成してもよい。
また、このとき、当該ビット数は、当該制御情報によって示されている、サブキャリアの変調方式に基づいて決定されるように構成してもよい。
【００２５】
あるいは、このとき、当該ビット数は、当該時間デインタリーブ手段に予め備えられるメモリ容量のうち当該時間デインタリーブのために使用される量を除いた残りの余裕量に応じて決定されるように構成してもよい。
【００２６】
このようにすることにより、時間デインタリーブのために用意されているメモリ容量に余裕のある場合に、受信性能の向上が期待できる。
また、本発明の態様のひとつであるＯＦＤＭ受信方法は、直交周波数分割多重方式（ＯＦＤＭ）により伝送されているデジタル信号を受信する方法であって、当該デジタル信号を復調し、当該復調によって得られた復調データのデマッピングを行い、当該デマッピングがされたデータに対して、当該デジタル信号と重畳されている制御情報に基づいた周波数デインタリーブを施し、前記周波数デインタリーブに用いた前記制御情報を所定時間遅延させ、当該周波数デインタリーブが施されたデータに対し、遅延させた当該制御情報に示されているインタリーブ長に基づいた時間デインタリーブを施す、ことを特徴とするものであり、この特徴によって前述した課題を解決する。
【００２７】
このように、デマッピングを各種のデインタリーブ処理の前に行うようにしたことにより、デマッピングの後で行われるデインタリーブ処理で必要となるメモリの容量を削減することができる。しかも、制御情報を遅延させることにより、デマッピングの後に周波数デインタリーブを行うようにしたことによって生じるデータ遅延の影響が回避される。
【００２８】
なお、上述した本発明に係るＯＦＤＭ受信方法において、当該デマッピングでは、当該制御情報に基づいて決定されるビット数での軟判定が行われるように構成してもよい。
この構成によれば、軟判定のビット数が制御情報に応じて切り替えることができるので、デインタリーブ処理のために必要となるメモリの容量を少なくすることができる。
【００２９】
なお、このとき、当該ビット数は、当該インタリーブ長に基づいて決定されるように構成してもよい。
また、このとき、当該ビット数は、当該制御情報によって示されている、サブキャリアの変調方式に基づいて決定されるように構成してもよい。
【００３０】
あるいは、このとき、当該ビット数は、当該時間デインタリーブのために予め用意されるメモリ容量のうち当該時間デインタリーブのために使用される量を除いた残りの余裕量に応じて決定されるように構成してもよい。
【００３１】
このようにすることにより、時間デインタリーブのために用意されているメモリ容量に余裕のある場合に、受信性能の向上が期待できる。
【発明の効果】
【００３２】
本発明によれば、以上のようにすることにより、ＯＦＤＭ受信装置において、復調データのデインタリーブ処理のために必要となるメモリの容量が削減されるという効果を奏する。
【発明を実施するための最良の形態】
【００３３】
以下、本発明の実施の形態を図面に基づいて説明する。
図１は、本発明を実施するデジタル放送受信機の構成を示している。この受信機は、ＩＳＤＢ−Ｔに則ったデジタル放送を受信するものである。
【００３４】
図１の構成は、ＴＭＣＣ誤り訂正部１８から出力されるＴＭＣＣ情報を遅延させる１シンボル遅延部１９が設けられた点において、図６に示した従来構成と異なっている。
図１において、ＯＦＤＭ方式のデジタル信号で変調されている高周波信号がアンテナ１１で受信される。受信された高周波信号はチューナ１２に入力される。チューナ１２は受信するチャネルを選択し、選択されたチャネルの高周波信号を中間周波数へと変換し、Ａ／Ｄ変換器１３へ出力する。Ａ／Ｄ変換器１３は、アナログ信号である中間周波信号をデジタル信号へと変換する。
【００３５】
Ａ／Ｄ変換器１３の出力は直交復調器１４へ入力されて複素ベースバンド信号へと変換される。複素ベースバンド信号は、ＦＦＴ回路１５による高速フーリエ変換により、時間領域信号から周波数領域の信号へと変換され、各キャリアデータが得られる。
【００３６】
その後、キャリアデータは等化処理部１６に入力され、パイロット信号の補間処理とそれを用いてのデータキャリアの等化処理が行われ、復調データとして出力される。等化処理部１６から出力された復調データは誤り訂正部１７に入力されて誤り訂正処理が行われた後に、ＴＳ形式で出力される。
【００３７】
なお、ＦＦＴ回路１５から出力されたデータキャリアの一部はＴＭＣＣ誤り訂正部１８に入力されてＴＭＣＣ情報に対する誤り訂正が行われる。
１シンボル遅延部１９は、ＴＭＣＣ誤り訂正部１８から出力されるＴＭＣＣ情報を、１シンボル分（データキャリアの変化が生じる最小の時間間隔分）だけ遅延させる。
【００３８】
次に図２について説明する。同図は、図１における誤り訂正部１７で行われる誤り訂正処理の処理内容の詳細を示している。
図２に示した処理内容は、デマッピング処理２１が周波数デインタリーブ処理２２及び時間デインタリーブ処理２３の前に行われる点、デマッピング処理２１において行われる軟判定のビット数を決定する決定処理２０−１及び２０−２が行われる点、決定処理２０−１で行われる決定の結果がデマッピング処理２１において使用される点、決定処理２０−２で行われる決定の結果が時間デインタリーブ処理２３において使用される点、１シンボル遅延部１９から出力される遅延したＴＭＣＣ情報が、時間デインタリーブ処理２３、ビットデインタリーブ処理２４、ビタビ復号処理２５、バイトデインタリーブ処理２６、及びリードソロモン復号処理２７で使用される点において、図６に示した従来構成における誤り訂正部１０７で行われる誤り訂正処理の処理内容（図７）と異なっている。
【００３９】
ＩＳＤＢ−Ｔにおいて、固定受信を目的とした１２セグメント放送では、キャリア変調方式として６４ＱＡＭ（直交振幅変調：Quadrature Amplitude Modulation ）が用いられる。この場合には、復調データとして得られる１シンボル当たりで２４ビット（Ｉ軸方向及びＱ軸方向で各々１２ビット）のデータ精度で後段の処理を行う必要があり、従って、少なくとも２４ビットの容量を有するメモリがデインタリーブ処理のために必要となる。
【００４０】
これに対し、１セグメント放送及び３セグメント放送では、キャリア変調方式として６４ＱＡＭが使用されることはなく、ＱＰＳＫ（四位相偏移変調：Quadrature Phase Shift Keying ）、ＤＱＰＳＫ（差動ＱＰＳＫ：DifferentialＱＰＳＫ）、若しくは１６ＱＡＭが用いられる。この場合、復調データは１２ビット（Ｉ軸方向及びＱ軸方向で各々６ビット）の精度があれば十分である。
【００４１】
そこで、図２におけるデマッピング処理２１が等化処理部１０６から出力される復調データを受け取るときのデータの精度を１２ビットとし、更に、決定処理２０−１及び２０−２は、デマッピング処理２１によるデマッピングの際に行われる軟判定（ビダビ復号処理２５での利得向上のために、変調信号のコンスタレーションにおける受信信号と基準点との距離に応じた情報を付加する判定）における付加ビット数を、これより説明する第一実施例では、ＴＭＣＣ情報の内容とは無関係に常に３ビットとする。このように構成すると、１セグメント放送及び３セグメント放送において使用されるキャリア変調方式のうち１シンボル当たりの情報量が最大である１６ＱＡＭが用いられたとしても、後段の各種のデインタリーブ処理で必要となるメモリの容量は、４ビット（１６ＱＡＭにおける１シンボル当たりの情報量）×３ビット（軟判定のビット数）＝１２ビットで済むこととなり、処理に必要なメモリ容量が削減される。
【００４２】
周波数デインタリーブ処理２２は、デマッピング処理２１が施された後のデータに対し、メモリ２２ａを用いて周波数軸方向のデインタリーブを行う。また、時間デインタリーブ処理２３は、周波数デインタリーブ処理２２が施された後のデータに対し、メモリ２３ａを用いて時間軸方向のデインタリーブを行う。更に、ビットデインタリーブ処理２４は、時間デインタリーブ処理２３が施された後のデータに対し、メモリ２４ａを用いて、ビット単位のデインタリーブを行う。
【００４３】
その後、ビットデインタリーブ処理２４が施された後のデータに対し、ビタビ復号処理２５が行われる。更に、ビタビ復号処理２５が施されたデータは、バイト単位にシリアル−パラレル変換される。この後、変換後のデータに対し、バイトデインタリーブ処理２６がメモリ２６ａを用いてバイト単位のデインタリーブを行う。その後は、バイトデインタリーブ処理２６が施された後のデータに対し、リードソロモン復号処理２７が行われ、誤り訂正部１７での処理が完了する。
【００４４】
但し、周波数デインタリーブ処理２２は、周波数軸上の処理であるため、デマッピング処理２１の後に周波数デインタリーブ処理２２を行うと、１シンボル分の遅延が生じることとなる。そこで、この遅延の影響を回避するために、図２に示されているように、周波数デインタリーブ処理２２よりも後段の処理では、ＴＭＣＣ情報が切り替わるときの切り替わりのタイミングを合致させるために、ＴＭＣＣ誤り訂正部１８から出力されるＴＭＣＣ情報を、１シンボル遅延部１９で所定時間（１シンボル分）遅延させた上で利用するようにする。
【００４５】
次に図３Ａ及び図３Ｂについて説明する。ＩＳＤＢ−Ｔにおいて規格化されている各伝送パラメータと、各伝送パラメータで放送を受信する際にデインタリーブ処理のために必要となるメモリサイズとの関係を表で示したものである。ここで、図３Ａは、１セグメント放送における関係を、使用可能な伝送モード毎に示したものであり、図３Ｂは、３セグメント放送における関係を、使用可能な伝送モード毎に示したものである。
【００４６】
ＩＳＤＢ−Ｔにおいて、１セグメント放送では１階層のみの伝送が可能であり、３セグメント放送では１セグメント（Ａ階層）＋２セグメント（Ｂ階層）での２階層による多重伝送が可能である。図３Ａ及び図３Ｂにおける「Ａ階層」及び「Ｂ階層」は、階層伝送における各階層を表している。
【００４７】
また、図３Ａ及び図３Ｂにおいて、「ＩＬ」は時間インタリーブパラメータであり、時間インタリーブ処理におけるインタリーブ長を示している。
図３Ａ及び図３Ｂにおいて、「ビット数」は、前述した軟判定のビット数を示している。この軟判定は最低３ビットで行えば十分であり、上述した第一実施例では、この軟判定のビット数を常に３ビットとしていたが、これより説明する第二実施例では、デインタリーブ処理における使用メモリ量が少ない伝送パラメータの場合には、余ったメモリ容量を有効に活用して性能向上を図るために、軟判定のビット数を最大６ビットまで増加させている。
【００４８】
また、「サイズ」は、デインタリーブ処理のために必要となるメモリサイズを表しており、そのサイズが最小となる、１セグメント放送、伝送モード「ＭＯＤＥ３」、ＱＰＳＫ使用、時間インタリーブパラメータＩ＝１とし、軟判定のビット数を６ビットとしたときのメモリサイズを「１」とした場合を基準値としたときの相対値で示している。
【００４９】
また、本第二実施例では、図３Ｂに示した３セグメント放送において、「サイズ」が１６を超えている場合、すなわち、サブキャリアのうちＢ階層のキャリア変調方式として１６ＱＡＭが使用されており、且つ、時間インタリーブパラメータが、その伝送モードにおける最長値を示す値（「ＭＯＤＥ２」ならばＩ＝４、「ＭＯＤＥ３」ならばＩ＝８）となっている場合の伝送パラメータについては、「ビット数」を、３ビットよりも少ない２ビットにしている。なお、同図において「ビット数」が「２」となっている伝送パラメータにおける「サイズ」の値は、軟判定を３ビットで行う場合の値が示されている。
【００５０】
このようにすることで、デインタリーブ処理のために必要となるメモリサイズを２／３に削減することができる。すなわち、図３Ｂにおいて、例えば「サイズ」が「２４」となっている伝送パラメータについては、軟判定を２ビットで行うようにすることにより、「サイズ」は１６になる。この結果、この伝送モードにおける性能は不十分となるものの、１／３セグメント受信機を少ないメモリ容量で実現することができる。また、このような性能の低下を来たすこととなる伝送モードは放送には殆ど使用されることがないと考えられるので、実用上問題となることは稀である。
【００５１】
ここで図４について説明する。同図は、第二実施例における決定処理２０−１及び２０−２で行われる、軟判定のビット数を決定する処理の処理内容をフローチャートで示したものである。
【００５２】
まず、Ｓ３１において、受信中の信号が１セグメント放送であるか３セグメント放送であるかが、ＴＭＣＣ情報に基づいて（決定処理２０−２では、１シンボル遅延部１９で遅延させたＴＭＣＣ情報に基づいて）判定される。ここで、受信中の信号が１セグメント放送であると判定されたときには、Ｓ３２において、軟判定のビット数を６ビットと決定し、その決定の結果をデマッピング処理２１と時間デインタリーブ処理２３とに通知する処理が行われ、その後はこの決定処理を終了する。
【００５３】
一方、Ｓ３１において、受信中の信号が３セグメント放送であると判定されたときには、Ｓ３３において、Ｂ階層のキャリア変調方式として１６ＱＡＭが使用されており、且つ、時間インタリーブパラメータが、その伝送モードにおける最長値を示す値（「ＭＯＤＥ２」ならばＩ＝４、「ＭＯＤＥ３」ならばＩ＝８）となっているか否かをＴＭＣＣ情報に基づいて（決定処理２０−２では、１シンボル遅延部１９で遅延させたＴＭＣＣ情報に基づいて）判定する処理が行われる。ここで、この判定結果がＹｅｓならば、Ｓ３４において、軟判定のビット数を２ビットと決定し、その決定の結果をデマッピング処理２１と時間デインタリーブ処理２３とに通知する処理が行われ、その後はこの決定処理を終了する。一方、この判定結果がＮｏならば、Ｓ３５において、軟判定のビット数を、時間デインタリーブ処理２３に予め備えられるメモリ２３ａの容量のうち時間デインタリーブのために使用される量を除いた残りの余裕量に応じて、３〜６ビットのいずれかと決定し、その決定の結果をデマッピング処理２１と時間デインタリーブ処理２３とに通知する処理が行われ、その後はこの決定処理を終了する。
【００５４】
以上のように、本第二実施例によれば、ＴＭＣＣ情報で示されている伝送パラメータに応じて軟判定のビット数を切り替えることにより、デインタリーブ処理のために必要となるメモリの容量を少なくすることができるので、１／３セグメント受信機の小型化に寄与する。
【００５５】
以上、本発明の実施形態を説明したが、本発明は、上述した実施形態に限定されることなく、本発明の要旨を逸脱しない範囲内で種々の改良・変更が可能である。
【図面の簡単な説明】
【００５６】
【図１】本発明を実施するデジタル放送受信機の構成を示す図である。
【図２】図１における誤り訂正部で行われる誤り訂正処理の処理内容の詳細を示す図である。
【図３Ａ】伝送パラメータとデインタリーブ処理のために必要なメモリサイズとの関係を示す図（その１）である。
【図３Ｂ】伝送パラメータとデインタリーブ処理のために必要なメモリサイズとの関係を示す図（その２）である。
【図４】第二実施例における決定処理の処理内容をフローチャートで示した図である。
【図５Ａ】日本における地上波デジタル放送波の帯域構成を示す図（その１）である。
【図５Ｂ】日本における地上波デジタル放送波の帯域構成を示す図（その２）である。
【図６】ＩＳＤＢ−Ｔに則ったデジタル放送の受信機の標準的な構成を示す図である。
【図７】図６における誤り訂正部で行われる誤り訂正処理の処理内容の詳細を示す図である。
【符号の説明】
【００５７】
１１、１０１  アンテナ
１２、１０２  チューナ
１３、１０３  Ａ／Ｄ変換器
１４、１０４  直交復調器
１５、１０５  ＦＦＴ回路
１６、１０６  等化処理部
１７、１０７  誤り訂正部
１８、１０８  ＴＭＣＣ誤り訂正部
１９  １シンボル遅延部
２０−１、２０−２  決定処理
２１、１１３  デマッピング処理
２２、１１１  周波数デインタリーブ処理
２２ａ、２３ａ、２４ａ、２６ａ、
１１１ａ、１１２ａ、１１４ａ、１１６ａ  メモリ
２３、１１２  時間デインタリーブ処理
２４、１１４  ビットデインタリーブ処理
２５、１１５  ビタビ復号処理
２６、１１６  バイトデインタリーブ処理
２７、１１７  リードソロモン復号処理
【図１】
0004773882.tif 000002
【図２】
0004773882.tif 000003
【図３Ａ】
0004773882.tif 000004
【図３Ｂ】
0004773882.tif 000005
【図４】
0004773882.tif 000006
【図５Ａ】
0004773882.tif 000007
【図５Ｂ】
0004773882.tif 000008
【図６】
0004773882.tif 000009
【図７】
0004773882.tif 000010